(57)【要約】【課題】データ記録再生装置において、一時保存領域を利用したタイムシフト再生から長期保存領域を利用する記録へと動作が変更される際の制御内容の簡略化を図る。【解決手段】タイムシフト再生動作において、リードポイジションＲＰはセクタ１２０１内に位置し、ライトポイジションＷＰはセクタ１２０４内に位置している。このような状態で、ユーザより、タイムシフト再生動作から録画動作に変更された場合、タイムシフト領域１２０Ａの中のセクタ１２０１〜１２０４の４つのセクタの属性が録画領域へと変更されるとともに、これに応じて、録画領域１２０Ｂの中の領域１２１０の属性がタイムシフト領域へと変更される。なお、領域１２１０の大きさは、セクタ１２０１〜１２０４を足し合わせた大きさと同じである。【選択図】        図４
2004295963.tif 000002
【特許請求の範囲】
【請求項１】
映像データおよび／または音声データを含む番組データを受信し、その記録および／または再生を行なうデータ記録再生装置であって、
ユーザからの指示の入力を受付ける入力手段と、
番組データを記録するための記録手段と、
前記記録手段に記録された番組データを再生するための再生手段と、
前記記録手段について、前記番組データを一時記録するリングバッファである一時保存領域と、前記番組データを長期記録する長期保存領域とに分けて管理する領域管理手段と、
前記記録手段および前記再生手段に、少なくとも、前記一時保存領域に番組データを記録するのと同時に当該番組データを再生するタイムシフト再生を実行させる制御手段とを含み、
前記領域管理手段は、
前記記録手段および前記再生手段に前記タイムシフト再生を実行させているときに、前記入力手段に対して番組データの長期記録の指示が入力されたことを条件として、前記一時保存領域の中で当該番組データを再生している部分から当該番組を記録している部分を含む領域を前記長期保存領域に変更させるよう管理し、
前記一時保存領域の中で前記長期保存領域と変更された部分と同じ大きさの領域だけ、前記長期保存領域を前記一時保存領域に変更させるよう管理し、
前記長期保存領域を前記一時保存領域に変更させるよう管理する際、前記一時保存領域の一部が前記長期保存領域に変更されている場合には当該一時保存領域の中で前記長期保存領域に変更させている部分から優先して前記一時保存領域に変更させ、
複数回、前記長期保存領域を前記一時保存領域に変更させる場合、当該長期保存領域の中で、それまでに前記一時保存領域とした領域に隣接した領域を、前記一時保存領域に変更させ、
前記一時保存領域に変更された前記長期保存領域を前記長期保存領域に戻しかつ前記長期保存領域に変更された前記一時保存領域を前記長期保存領域に戻すよう変更させる処理である交換処理を実行し、かつ、
前記入力部に入力された情報に従って、前記記憶手段の中の前記一時保存領域として管理する領域の大きさを決定する、
データ記録再生装置。
【請求項２】
映像データおよび／または音声データを含む番組データを受信し、その記録および／または再生を行なうデータ記録再生装置であって、
ユーザからの指示の入力を受付ける入力手段と、
番組データを記録するための記録手段と、
前記記録手段に記録された番組データを再生するための再生手段と、
前記記録手段について、前記番組データを一時記録するリングバッファである一時保存領域と、前記番組データを長期記録する長期保存領域とに分けて管理する領域管理手段と、
前記記録手段および前記再生手段に、少なくとも、前記一時保存領域に番組データを記録するのと同時に当該番組データを再生するタイムシフト再生を実行させる制御手段とを含み、
前記領域管理手段は、前記記録手段および前記再生手段に前記タイムシフト再生を実行させているときに、前記入力手段に対して番組データの長期記録の指示が入力されたことを条件として、前記一時保存領域の中で当該番組データを再生している部分から当該番組を記録している部分を含む領域を前記長期保存領域に変更させるよう管理する、データ記録再生装置。
【請求項３】
前記領域管理手段は、前記一時保存領域の中で前記長期保存領域と変更された部分と同じ大きさの領域だけ、前記長期保存領域を前記一時保存領域に変更させるよう管理する、請求項２に記載のデータ記録再生装置。
【請求項４】
前記領域管理手段は、前記長期保存領域を前記一時保存領域に変更させるよう管理する際、前記一時保存領域の一部が前記長期保存領域に変更されている場合には当該一時保存領域の中で前記長期保存領域に変更させている部分から優先して前記一時保存領域に変更させる、請求項３に記載のデータ記録再生装置。
【請求項５】
前記領域管理手段は、複数回、前記長期保存領域を前記一時保存領域に変更させる場合、当該長期保存領域の中で、それまでに前記一時保存領域とした領域に隣接した領域を、前記一時保存領域に変更させる、請求項２〜請求項４のいずれかに記載のデータ記録再生装置。
【請求項６】
前記領域管理手段は、前記一時保存領域に変更された前記長期保存領域を前記長期保存領域に戻しかつ前記長期保存領域に変更された前記一時保存領域を前記長期保存領域に戻すよう変更させる処理である、交換処理を実行する、請求項２〜請求項５のいずれかに記載のデータ記録再生装置。
【請求項７】
前記領域管理手段は、前記入力部に入力された情報に従って、前記記憶手段の中の前記一時保存領域として管理する領域の大きさを決定する、請求項２〜請求項６のいずれかに記載のデータ記録再生装置。
【発明の詳細な説明】
【０００１】
【発明の属する技術分野】
本発明は、データ記録再生装置に関し、特に、映像データおよび／または音声データを含む番組データを受信し、その記録および／または再生を行ない、当該番組データを一時記録するリングバッファである一時保存領域と長期記録する長期保存領域とを備え、さらに、当該一時保存領域に番組データを記録するのと同時に当該番組データを再生するタイムシフト再生が可能なデータ記録再生装置に関する。
【０００２】
【従来の技術】
従来から、上記したようなタイムシフト再生が可能なデータ記録再生装置についての技術が種々開示されてきた。
【０００３】
たとえば、特許文献１には、タイムシフト再生時において記憶再生装置での再生予定箇所への上書きを防止すべく、リングバッファ内での現時点での再生位置が記録位置よりも先行しており、かつ、現時点での記録速度が再生位置よりも速い場合には、再生速度を強制的に速める技術が開示されている。
【０００４】
【特許文献１】
特開２００２−１７０３１９公報
【０００５】
【発明が解決しようとする課題】
一方、上記したような一時保存領域を利用したタイムシフト再生時に、ユーザの操作等により、長期保存領域を利用する記録へとデータ記録再生装置における動作が変更される際、記憶するポイントが、記録再生装置内に別々に設けられた一時保存領域から長期保存領域へと変更される必要があり、制御が煩雑であった。そして、従来から、このような煩雑な制御に対して、簡素化が要望されていた。
【０００６】
本発明は、かかる実情に鑑み考え出されたものであり、その目的は、一時保存領域を利用したタイムシフト再生から長期保存領域を利用する記録へと動作が変更される際の制御内容の簡略化が可能なデータ記録再生装置を提供することである。
【０００７】
【課題を解決するための手段】
本発明のある局面に従ったデータ記録再生装置は、映像データおよび／または音声データを含む番組データを受信し、その記録および／または再生を行なうデータ記録再生装置であって、ユーザからの指示の入力を受付ける入力手段と、番組データを記録するための記録手段と、前記記録手段に記録された番組データを再生するための再生手段と、前記記録手段について、前記番組データを一時記録するリングバッファである一時保存領域と、前記番組データを長期記録する長期保存領域とに分けて管理する領域管理手段と、前記記録手段および前記再生手段に、少なくとも、前記一時保存領域に番組データを記録するのと同時に当該番組データを再生するタイムシフト再生を実行させる制御手段とを含み、前記領域管理手段は、前記記録手段および前記再生手段に前記タイムシフト再生を実行させているときに、前記入力手段に対して番組データの長期記録の指示が入力されたことを条件として、前記一時保存領域の中で当該番組データを再生している部分から当該番組を記録している部分を含む領域を前記長期保存領域に変更させるよう管理し、前記一時保存領域の中で前記長期保存領域と変更された部分と同じ大きさの領域だけ、前記長期保存領域を前記一時保存領域に変更させるよう管理し、前記長期保存領域を前記一時保存領域に変更させるよう管理する際、前記一時保存領域の一部が前記長期保存領域に変更されている場合には当該一時保存領域の中で前記長期保存領域に変更させている部分から優先して前記一時保存領域に変更させ、複数回、前記長期保存領域を前記一時保存領域に変更させる場合、当該長期保存領域の中で、それまでに前記一時保存領域とした領域に隣接した領域を、前記一時保存領域に変更させ、前記一時保存領域に変更された前記長期保存領域を前記長期保存領域に戻しかつ前記長期保存領域に変更された前記一時保存領域を前記長期保存領域に戻すよう変更させる処理である交換処理を実行し、かつ、前記入力部に入力された情報に従って、前記記憶手段の中の前記一時保存領域として管理する領域の大きさを決定することを特徴とする。
【０００８】
本発明の他の局面に従ったデータ記録再生装置は、映像データおよび／または音声データを含む番組データを受信し、その記録および／または再生を行なうデータ記録再生装置であって、ユーザからの指示の入力を受付ける入力手段と、番組データを記録するための記録手段と、前記記録手段に記録された番組データを再生するための再生手段と、前記記録手段について、前記番組データを一時記録するリングバッファである一時保存領域と、前記番組データを長期記録する長期保存領域とに分けて管理する領域管理手段と、前記記録手段および前記再生手段に、少なくとも、前記一時保存領域に番組データを記録するのと同時に当該番組データを再生するタイムシフト再生を実行させる制御手段とを含み、前記領域管理手段は、前記記録手段および前記再生手段に前記タイムシフト再生を実行させているときに、前記入力手段に対して番組データの長期記録の指示が入力されたことを条件として、前記一時保存領域の中で当該番組データを再生している部分から当該番組を記録している部分を含む領域を前記長期保存領域に変更させるよう管理することを特徴とする。
【０００９】
また、本発明のデータ記録再生装置では、前記領域管理手段は、前記一時保存領域の中で前記長期保存領域と変更された部分と同じ大きさの領域だけ、前記長期保存領域を前記一時保存領域に変更させるよう管理することが好ましい。
【００１０】
また、本発明のデータ記録再生装置では、前記領域管理手段は、前記長期保存領域を前記一時保存領域に変更させるよう管理する際、前記一時保存領域の一部が前記長期保存領域に変更されている場合には当該一時保存領域の中で前記長期保存領域に変更させている部分から優先して前記一時保存領域に変更させることが好ましい。
【００１１】
また、本発明のデータ記録再生装置では、前記領域管理手段は、複数回、前記長期保存領域を前記一時保存領域に変更させる場合、当該長期保存領域の中で、それまでに前記一時保存領域とした領域に隣接した領域を、前記一時保存領域に変更させることが好ましい。
【００１２】
また、本発明のデータ記録再生装置では、前記領域管理手段は、前記一時保存領域に変更された前記長期保存領域を前記長期保存領域に戻しかつ前記長期保存領域に変更された前記一時保存領域を前記長期保存領域に戻すよう変更させる処理である、交換処理を実行することが好ましい。
【００１３】
また、本発明のデータ記録再生装置では、前記領域管理手段は、前記入力部に入力された情報に従って、前記記憶手段の中の前記一時保存領域として管理する領域の大きさを決定することが好ましい。
【００１４】
【発明の実施の形態】
以下に、本発明の一実施の形態を、図面を参照しつつ詳細に説明する。
【００１５】
図１は、本発明のデータ記憶再生装置の一例である情報記録再生装置１００の構成を示す図である。
【００１６】
図１において、チューナ１１は、システム制御回路１０からディジタル放送のチャンネル指定信号が供給された場合には、この指定されたチャンネルのディジタル放送波を受信する。この際、チューナ１１は、受信したディジタル放送波を復調することによりＭＰＥＧ（Ｍｏｖｉｎｇ  Ｐｉｃｔｕｒｅ  Ｅｘｐｅｒｔｓ  Ｇｒｏｕｐ）信号を得て、これをＭＰＥＧ信号Ｍ１としてハードディスク装置１２およびセレクタ１３の各々に供給する。また、チューナ１１は、システム制御回路１０からアナログテレビジョン放送（ＮＴＳＣ（Ｎａｔｉｏｎａｌ  Ｔｅｌｅｖｉｓｉｏｎ  Ｓｔａｎｄａｒｄｓ  Ｃｏｍｍｉｔｔｅｅ）方式、ＰＡＬ（Ｐｈａｓｅ  Ａｌｔｅｒｎａｔｉｏｎ  ｂｙ  Ｌｉｎｅ）方式、またはＳＥＣＡＭ（ＳＥｑｕｅｎｔｉａｌ  Ｃｏｕｌｅｕｒ  Ａ  Ｍｅｍｏｉｒｅ）方式）のチャンネル指定信号が供給された場合には、この指定されたチャンネルのアナログテレビジョン放送波を受信する。この際、チューナ１１は、受信したアナログテレビジョン放送波を復調して得たテレビジョン信号をＭＰＥＧエンコーダ１４に供給する。ＭＰＥＧエンコーダ１４は、かかるテレビジョン信号に対してＭＰＥＧ符号化処理を施して得た信号をＭＰＥＧ信号Ｍ２としてハードディスク装置１２に供給する。
【００１７】
図２に、ハードディスク１２０の記憶領域の内容を模式的に示す。ハードディスク１２０は、リングバッファであるタイムシフト領域１２０Ａと、情報を長期記録するための録画領域１２０Ｂとを含む。なお、ハードディスク１２０におけるタイムシフト領域１２０Ａと録画領域１２０Ｂの領域の大きさは、たとえば、ユーザにより操作装置２２を介して入力された情報に基づいて決定される。また、ハードディスク１２０において、タイムシフト領域１２０Ａの位置および録画領域１２０Ｂの位置は、システム制御回路１０内の図示せぬメモリに各領域のアドレスが記録されることにより、管理されている。
【００１８】
情報記録再生装置１００においてタイムシフト再生が行なわれる際、ハードディスク装置１２の記録再生ヘッド１２１は、システム制御回路１０から供給された記録指令信号に応じて、上記ＭＰＥＧ信号Ｍ１またはＭ２を、ハードディスク１２０のタイムシフト領域１２０Ａ内に記録する。
【００１９】
この際、システム制御回路１０は、カウント動作を開始させるべきカウント開始指令をライトポジションカウンタ（図１では「ＷＰカウンタ」と記載）１５に供給し、その現カウント値を、タイムシフト領域１２０Ａ内での記録位置を指定すべきライトポジションＷＰとしてハードディスク装置１２に供給する。さらに、システム制御回路１０は、記録すべきＭＰＥＧ信号Ｍ１又はＭ２のビットレートに応じた記録速度を指定する記録速度信号ＳＷ  を、上記ライトポジションカウンタ１５に供給する。これにより、ライトポジションカウンタ１５は、上記記録速度信号ＳＷ  に応じた速度でカウントアップ動作する。
【００２０】
つまり、タイムシフト再生が行なわれる際、記録再生ヘッド１２１は、チューナ１１で受信された放送番組を担う上記ＭＰＥＧ信号Ｍ１又はＭ２を、タイムシフト領域１２０Ａ内における上記ライトポジションＷＰにて示される位置に記録する。この際、ライトポジションＷＰは上記記録速度信号ＳＷ  に応じた速度で変化するので、記録再生ヘッド１２１は、この記録速度信号ＳＷ  にて示される記録速度で上記ＭＰＥＧ信号Ｍ１又はＭ２をタイムシフト領域１２０Ａに記録していくことになる。
【００２１】
また、タイムシフト再生が行なわれる際、記録再生ヘッド１２１は、システム制御回路１０から供給された再生指令信号に応じて、タイムシフト領域１２０Ａ内に記録されている記録信号を読出し、これを再生ＭＰＥＧ信号ＲＭとしてセレクタ１３に供給する。この際、システム制御回路１０は、カウント動作を開始させるべきカウント開始指令をリードポジションカウンタ（図１では「ＲＰカウンタ」と記載）１６に供給し、その現カウント値を、タイムシフト領域１２０Ａ内での読取位置を指定すべきリードポジションＲＰとしてハードディスク装置１２に供給する。
【００２２】
さらに、システム制御回路１０は、上記タイムシフト領域１２０Ａから再生された再生ＭＰＥＧ信号ＲＭのビットレートに応じた再生速度を指定すべき再生速度信号ＳＲ  を生成し、これをリードポジションカウンタ１６に供給する。これにより、リードポジションカウンタ１６は、上記再生速度信号ＳＲ  に応じた速度でカウントアップ動作を行なう。
【００２３】
つまり、記録再生ヘッド１２１は、タイムシフト領域１２０Ａ内における上記リードポジションＲＰにて示される位置から記録情報の読取りを行なって再生ＭＰＥＧ信号ＲＭを得る。この際、リードポジションＲＰは、上記再生速度信号ＳＲ  に応じた速度で変化するので、記録再生ヘッド１２１は、この再生速度信号ＳＲ  にて示される再生速度で、順次、タイムシフト領域１２０Ａから記録信号の読取りを行なうことになる。
【００２４】
セレクタ１３は、上記ハードディスク装置１２から供給された再生ＭＰＥＧ信号ＲＭ、およびチューナ１１から供給されたＭＰＥＧ信号Ｍ１の内から、システム制御回路１０から供給された選択信号に応じた方を択一的に選択し、これをＭＰＥＧデコーダ１７に供給する。ＭＰＥＧデコーダ１７は、セレクタ１３から供給されたＭＰＥＧ信号に対してＭＰＥＧ復号処理を施すことにより、映像信号を得てこれを映像信号ＤＡＶとしてセレクタ１８に供給する。
【００２５】
ＯＳＤ（Ｏｎ  Ｓｃｒｅｅｎ  Ｄｉｓｐｌａｙ）画像生成回路１９は、システム制御回路１０から供給された各種メッセージ表示指令に応じた画像を表示させるべきメッセージ画像信号ＤＣ  を生成し、これをセレクタ１８に供給する。セレクタ１８は、上記映像信号ＤＡＶおよびメッセージ画像信号ＤＣ  の中から、システム制御回路１０から供給された選択信号に応じた方を択一的に選択し、これをディスプレイ装置２００に供給する。
【００２６】
ディスプレイ装置２００は、情報記録再生装置１００から供給された上記映像信号ＤＡＶ、またはメッセージ画像信号ＤＣ  に基づく画像表示を行なう。
【００２７】
操作装置２２は、ユーザからの、放送チャンネル指定操作、録画済み番組指定操作、録画指令操作、再生指令操作、録画停止操作、および、再生停止操作等を受付け、その操作に応じた各種操作信号をシステム制御回路１０に供給する。尚、操作装置２２は、情報記録再生装置１００の筐体とは分離しているリモートコントローラであっても良い。
【００２８】
操作装置２２を用いたユーザによる各種操作に応じて、システム制御回路１０は、情報記録再生装置１００に、テレビモニタ、録画、タイムシフト再生を実施させることができる。
【００２９】
テレビモニタは、動作放送中の番組をリアルタイムで視聴するための動作である。この場合、ユーザは、上記操作装置２２を用いて所望の放送チャンネルを指定すべき放送チャンネル指定操作を行なう。かかる操作に応じて、システム制御回路１０は、この所望放送チャンネルの番組を受信させるべきチャンネル指定信号をチューナ１１に供給する。これと同時に、システム制御回路１０は、上記チューナ１１から出力されたＭＰＥＧ信号Ｍ１を択一的にＭＰＥＧデコーダ１７に導出すべき選択信号をセレクタ１３に供給する。さらに、システム制御回路１０は、ＭＰＥＧデコーダ１７から出力された音声信号ＤＡＶを択一的にディスプレイ装置２００に導出すべき選択信号をセレクタ１８に供給する。
【００３０】
このような制御がなされることにより、チューナ１１によって受信および復調して得られたＭＰＥＧ信号Ｍ１は、セレクタ１３を介してＭＰＥＧデコーダ１７に供給される。そして、ＭＰＥＧデコーダ１７にて復号された音声信号ＤＡＶが、セレクタ１８を介してディスプレイ装置２００に供給されることになる。これにより、ディスプレイ装置２００は、チューナ１１にて受信された所望チャンネルのディジタル放送番組をリアルタイムで画像表示することになる。
【００３１】
録画動作は、上述したようにチューナ１１にて受信された番組を録画するための動作である。この場合、ユーザは、上記操作装置２２を用いて録画指令操作を行なう。このような録画指令操作に応じて、システム制御回路１０は、記録指令信号をハードディスク装置１２に供給すると共に、ライトポジションカウンタ１５の現在のカウント値を取込み、これをライトポジションＷＰとしてハードディスク装置１２に供給する。さらに、システム制御回路１０は、チューナ１１にて受信して得られた上記ＭＰＥＧ信号Ｍ１またはＭ２のビットレートに応じた記録速度信号ＳＷ  を求め、これを内蔵レジスタ（図示略）に記憶させると共に、ライトポジションカウンタ１５に供給する。これにより、ハードディスク装置１２は、上記ＭＰＥＧ信号Ｍ１またはＭ２を、上記ライトポジションＷＰにて示されるタイムシフト領域１２０Ａ内の位置から、上記記録速度信号ＳＷ  に応じた速度で順次記録していく。
【００３２】
タイムシフト再生動作とは、上記したような録画動作と同時に、録画済みの番組の再生を行なう、いわゆるタイムシフト再生を実施するための動作である。この場合、ユーザは、上記操作装置２２を用いて再生指令操作および録画済み番組指定操作を行なう。
【００３３】
ここで、タイムシフト再生動作におけるタイムシフト領域１２０ＡでのリードポイジションＲＰ，ライトポイジションＷＰを、図３に模式的に示す。
【００３４】
タイムシフト領域１２０Ａは、複数のセクタからなる。図３には、タイムシフト領域１２０Ａの一部として、８個のセクタが示されている。また、図３では、タイムシフト領域１２０ＡにおけるリードポイジションＲＰおよびライトポイジションＷＰが時間の経過とともに移動する方向が、矢印Ｘとして示されている。そして、図３では、タイムシフト再生動作において、リードポイジションＲＰはセクタ１２０１内に位置し、ライトポイジションＷＰはセクタ１２０４内に位置している。
【００３５】
そして、情報記録再生装置１００では、このような状態で、ユーザより、タイムシフト再生動作から録画動作に変更された場合、システム制御回路１０は、リードポイジションＲＰを含むセクタ１２０１からライトポイジションＷＰを含むセクタ１２０４まで、つまり、セクタ１２０１〜１２０４の４つのセクタを、タイムシフト領域１２０Ａ内にありながら、録画領域として機能させる処理を行なう。具体的には、システム制御回路１０は、セクタ１２０１〜１２０４の４つのセクタに相当するアドレスについての、当該システム制御回路１０内の図示せぬメモリにおける属性を、タイムシフト領域から録画領域へと変更させる。なお、セクタとは、情報記録再生装置１００において、システム制御回路１０が属性の付与等の取扱いが可能な最小な単位の一例である。
【００３６】
ここで、このような属性の変更により、タイムシフト領域１２０Ａの中で実際にタイムシフト領域として機能する領域の大きさが、ユーザがタイムシフト領域として指定した領域の大きさを下回る。このため、システム制御回路１０は、録画領域１２０Ｂの中で、セクタ１２０１〜１２０４の４つのセクタの領域と同じ大きさの領域についての、システム制御回路１０内の図示せぬメモリにおける属性を、録画領域からタイムシフト領域へと変更させる。
【００３７】
つまり、上記のような場合、システム制御回路１０は、図４に示すように、タイムシフト領域１２０Ａの中のセクタ１２０１〜１２０４の４つのセクタの属性を録画領域へと変更させるとともに、録画領域１２０Ｂの中の領域１２１０の属性をタイムシフト領域へと変更させる。なお、領域１２１０の大きさは、セクタ１２０１〜１２０４を足し合わせた大きさと同じである。
【００３８】
なお、録画領域１２０Ｂにおいて複数回属性変更がなされる場合、録画領域１２０Ｂの中で属性変更の対象となる領域は、前回属性変更の対象となった領域に隣接した領域であることが好ましい。具体的には、図５を参照して、録画領域１２０Ｂにおいて、まず、領域１２１１がタイムシフト領域へと属性を変更されている場合、次に属性の変更の対象となるのは、領域１２１１に隣接している領域１２１２であることが好ましい。さらに、領域１２１１，１２１２の属性がタイムシフト領域へと変更されている場合には、次に属性の変更の対象とされるのは、領域１２１３であることが好ましい。
【００３９】
また、図５において、矢印Ｙは、録画領域１２０Ｂにおける時間経過に伴ったＷＰの移動方向である。そして、録画領域１２０Ｂでは、図５に示すように、タイムシフト領域へと属性を変更されるのは、なるべく後の方で録画される（情報の書込みの対象とされる）領域であることが好ましい。
【００４０】
なお、以上説明したようなタイムシフト領域１２０Ａおよび録画領域１２０Ｂにおける変更された属性は、デフラグ要求等のユーザからの操作に基づいて、元に戻されることが可能である。ただし、このように属性を元に戻すような動作は、システム制御回路１０が録画動作を実行している期間には禁止されることが好ましい。録画動作が実行されている期間というのは、ユーザが積極的に情報の記録を希望している期間であるため、このような期間には、情報記録再生装置１００において、トラブルの可能性を最大限抑えることが好ましいからである。
【００４１】
また、以上説明したようなタイムシフト領域１２０Ａおよび録画領域１２０Ｂにおいて属性が変更されている状態で、ユーザから、タイムシフト領域１２０Ａの領域の大きさを縮小する旨の操作がなされた場合には、タイムシフト領域１２０Ａの中で属性を録画領域１２０Ｂに変更されている領域を録画領域１２０Ｂに変更させることが好ましい。
【００４２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００４３】
【発明の効果】
本発明によると、データ記録再生装置において、一時保存領域を利用したタイムシフト再生から長期保存領域を利用する記録へと動作が変更される際、その時点での一時保存領域における再生ポイントから記録ポイントを含む領域を長期保存領域に変更させることにより、記録ポイントの大幅な変更が不要となる。したがって、データ記録再生装置において、一時保存領域を利用したタイムシフト再生から長期保存領域を利用する記録へと動作が変更される際の制御内容の簡略化が可能となる。
【００４４】
また、本発明によると、一時保存領域の中で長期保存領域と変更された部分と同じ大きさの領域だけ、長期保存領域が一時保存領域に変更されるため、一時保存領域の大きさを一定に保つことができる。
【００４５】
また、本発明によると、長期保存領域が一時保存領域に変更される際、もともと一時保存領域であったが長期保存領域に変更された部分が優先して一時保存領域にされるため、本発明のような領域の変更が行なわれたことによる一時保存領域および長期保存領域領域の分布の乱れを極力抑えることができる。
【００４６】
また、本発明によると、長期保存領域が一部保存領域に変更される際、一部保存領域が長期保存領域の中で固まった領域に形成されることから、タイムシフト再生の際の録画・再生ポイントの変更操作が煩雑となることを回避できる。
【００４７】
また、本発明によると、交換処理が実行されることにより、本発明のような領域の変更が行なわれたことによる一時保存領域および長期保存領域領域の分布の乱れを極力抑えることができる。
【００４８】
また、本発明によると、一時保存領域の大きさをユーザの所望の大きさとすることができる。
【図面の簡単な説明】
【図１】本発明のデータ記憶再生装置の一例である情報記録再生装置の構成を示す図である。
【図２】図１のハードディスクの記憶領域の内容を模式的に示す図である。
【図３】図１の情報記録再生装置のタイムシフト再生動作におけるタイムシフト領域でのＲＰ，ＷＰを、模式的に示す図である。
【図４】図１の情報記録再生装置のタイムシフト領域の中の４つのセクタおよび録画領域の中の一部の領域の、属性の変更を説明するための図である。
【図５】図１の情報記録再生装置の録画領域において属性の変更が行なわれる際の好ましい態様を説明するための図である。
【符号の説明】
１０  システム制御回路、１１  チューナ、１２  ハードディスク装置、１３，１８  セレクタ、１４  ＭＰＥＧエンコーダ、１５  ライトポジションカウンタ、１６  リードポジションカウンタ、１７  ＭＰＥＧデコーダ、１９  ＯＳＤ画像生成回路、１００  情報記録再生装置、１２０  ハードディスク、１２０Ａタイムシフト領域、１２０Ｂ  録画領域、２００  ディスプレイ装置。
【図１】
2004295963.tif 000003
【図２】
2004295963.tif 000004
【図３】
2004295963.tif 000005
【図４】
2004295963.tif 000006
【図５】
2004295963.tif 000007